(57)【要約】【課題】簡易な構成で、人にやさしく、吸煙効率の向上を達成する。【解決手段】開示される卓上空気清浄機は、タバコの煙を含む空気を吸い込むための正面開口部５と、この正面開口部５から吸い込まれた空気を遠心方向に圧送する送風機６と、上記装置正面の左右の周縁部に設けられて、送風機６から圧送された空気を装置前方に吐き出してエアカーテンを形成する左右一対の周辺開口部７，７と、正面開口部５と送風機６との間に介挿されて、タバコの煙を除去する集塵フィルタ８と、送風機６と左右一対の周辺開口部７，７との間に介挿されて、タバコの臭いを除去する脱臭フィルタ９とを備えている。【選択図】　　　図６
2004069205.tif 000002
【特許請求の範囲】
【請求項１】
装置正面に設けられて、タバコの煙を含む空気を吸い込むための正面開口部と、該正面開口部から吸い込まれた前記空気を遠心方向に圧送する送風機と、前記装置正面の左右の周縁部に設けられて、前記送風機から圧送された空気を装置前方に吐き出すための左右一対の周辺開口部と、前記正面開口部と前記送風機との間、及び／又は、前記送風機と前記左右一対の周辺開口部との間に介挿されて、タバコの煙を除去するための多孔性又は繊維性の集塵フィルタとを備えてなることを特徴とする卓上空気清浄機。
【請求項２】
前記正面開口部と前記送風機との間、及び／又は、前記送風機と前記左右一対の周辺開口部との間に、脱臭フィルタが付加されてなることを特徴とする請求項１記載の卓上空気清浄機。
【請求項３】
前記送風機は、複数の羽根が環状に並べられた羽根車を有すると共に、該羽根車の軸心が前記正面開口部の中心軸線と概略共通する態様で、取り付けられてなる遠心型送風機であって、運転時、該羽根車の軸心方向から空気を取り入れ、取り入れた該空気に旋回流を与え、発生した遠心力によって、前記羽根と羽根との隙間から、旋回する前記空気を前記羽根車の外周方向に圧送する構成とされていることを特徴とする請求項１記載の卓上空気清浄機。
【請求項４】
前記正面開口部と前記送風機との間に、パネル状の集塵フィルタが介挿されてなると共に、該集塵フィルタは、ひだ状に折り畳まれる態様でパネル化されていることを特徴とする請求項１又は３記載の卓上空気清浄機。
【請求項５】
前記送風機と左右一対の周辺開口部との間に、かつ、前記羽根車の外周側に、当該羽根車と軸心を共通にする態様で、環状の集塵フィルタが介挿されてなることを特徴とする請求項１又は３記載の卓上空気清浄機。
【請求項６】
前記送風機と左右一対の周辺開口部との間に、かつ、前記羽根車の外周側に、当該羽根車と軸心を共通にする態様で、環状の脱臭フィルタが介挿されてなることを特徴とする請求項２記載の卓上空気清浄機。
【請求項７】
前記送風機から圧送された空気が、前記左右一対の周辺開口部から、当該左右間で互いに離反する態様で装置斜め前方に吐き出される構成とされていることを特徴とする請求項１記載の卓上空気清浄機。
【請求項８】
前記左右一対の周辺開口部は、前記装置正面と装置側面とのコーナ部に設けられていることを特徴とする請求項７記載の卓上空気清浄機。
【請求項９】
前記各周辺開口部は、装置正面の周縁に沿って、概略縦長に形成されていることを特徴とする請求項７又は８記載の卓上空気清浄機。
【請求項１０】
前記左右一対の周辺開口部は、互いに、水平方向に、２５ｃｍ以上４０ｃｍ以内に隔てられて配設されていることを特徴とする請求項１、７、８又は９記載の卓上空気清浄機。
【請求項１１】
前記各周辺開口部には、吐き出される空気に方向性を与えるための複数の隔壁板又は羽根板が設けられていることを特徴とする請求項１、７、８又は９記載の卓上空気清浄機。
【請求項１２】
前記隔壁板又は羽根板は、吐き出される空気の方向を変えるために、回動可能に取り付けられていることを特徴とする請求項１１記載の卓上空気清浄機。
【請求項１３】
前記隔壁板又は羽根板の回動を電気的に制御するための風向制御回路が設けられていることを特徴とする請求項１２記載の卓上空気清浄機。
【請求項１４】
空気中の浮遊微粒子をコロナ帯電させて静電捕集する電気的制御の集塵手段が付加されてなることを特徴とする請求項１記載の卓上空気清浄機。
【発明の詳細な説明】
【０００１】
【発明の属する技術分野】
この発明は、机やテーブル等に載置されて、タバコの煙を除去するパーソナル型の卓上空気清浄機に関する。
【０００２】
【従来の技術】
従来、この種の空気清浄機は、図１０に示すように、煙の吸込口１が装置正面１Ａに、清浄空気の吹出口２が装置背面２Ａに設けられていた。さながら、扇風機とは反対の流路構成であった。しかし、これだと、壁や背後の備品に近づけて設置すると、装置背面の吹出口２が塞がれてしまうので、使い勝手がはなはだ良くない、という問題があった。
【０００３】
そこで、このような不都合を解消する手段として、例えば、この出願人の特許に係る特許第３０９２１１２号の空気清浄機が提案されている。特許に係るこの空気清浄機では、図１１に示すように、装置正面３Ａにのみ、開口部３が設けられていて、この開口部３の内側に、煙を吸い込む装置内吸込口３ｉと、清浄空気を吹き出す複数の装置内吹出口３ｏ，３ｏ，…とが設けられている。詳細に説明すると、装置内吸込口３ｉは、その中心軸が、開口部３の中心軸と略一致する態様で、開口部３のすぐ内側に設けられている。一方，装置内吹出口３ｏ，３ｏ，…は、開口部３周縁部のすぐ内側の四隅にて、その吹出面法線を、開口部３の開口面法線に対して略直交する態様で、互いに離散的に４箇所設けられている。
このような構成によれば、装置内吸込口３ｉへ吸い寄せられるタバコの煙の周りに、装置内吹出口３ｏ，３ｏ，…から、全体として清浄空気の渦流が吹き出されるので、タバコの煙の拡散が抑制され、したがって、吸煙効率の向上が期待できる。
【０００４】
【発明が解決しようとする課題】
しかしながら、完全なる渦流の形成は、実際には容易ではなく、コストを要することが判った。言い換えれば、簡単な構成で、思うような吹出渦流を安定的に得るのは、容易ではなく、ともすれば、タバコの煙の吸引を阻害するような気流が発生する虞もあった。とりわけ、机上に吹き付ける渦流崩れの下降流は、書類等を震わせて、人に不快感を与えるので、問題である。
【０００５】
この発明は、上述の事情に鑑みてなされたもので、簡易な構成で、人にやさしく、吸煙効率の向上を図ることができるパーソナル型の卓上空気清浄機を提供することを目的としている。
【０００６】
【課題を解決するための手段】
上記課題を解決するために、請求項１記載の発明は、卓上空気清浄機に係り、装置正面に設けられて、タバコの煙を含む空気を吸い込むための正面開口部と、該正面開口部から吸い込まれた上記空気を遠心方向に圧送する送風機と、上記装置正面の左右の周縁部に設けられて、上記送風機から圧送された空気を装置前方に吐き出すための左右一対の周辺開口部と、上記正面開口部と上記送風機との間、及び／又は、上記送風機と上記左右一対の周辺開口部との間に介挿されて、タバコの煙を除去するための多孔性又は繊維性の集塵フィルタとを備えてなることを特徴としている。
【０００７】
また、請求項２記載の発明は、請求項１記載の卓上空気清浄機に係り、上記正面開口部と上記送風機との間、及び／又は、上記送風機と上記左右一対の周辺開口部との間に、脱臭フィルタが付加されてなることを特徴としている。
【０００８】
また、請求項３記載の発明は、請求項１記載の卓上空気清浄機に係り、上記送風機は、複数の羽根が環状に並べられた羽根車を有すると共に、該羽根車の軸心が上記正面開口部の中心軸線と概略共通する態様で、取り付けられてなる遠心型送風機であって、運転時、該羽根車の軸心方向から空気を取り入れ、取り入れた該空気に旋回流を与え、発生した遠心力によって、上記羽根と羽根との隙間から、旋回する上記空気を上記羽根車の外周方向に圧送する構成とされていることを特徴としている。
【０００９】
また、請求項４記載の発明は、請求項１又は３記載の卓上空気清浄機に係り、上記正面開口部と上記送風機との間に、パネル状の集塵フィルタが介挿されてなると共に、該集塵フィルタは、ひだ状に折り畳まれる態様でパネル化されていることを特徴としている。
【００１０】
また、請求項５記載の発明は、請求項１又は３記載の卓上空気清浄機に係り、上記送風機と左右一対の周辺開口部との間に、かつ、上記羽根車の外周側に、当該羽根車と軸心を共通にする態様で、環状の集塵フィルタが介挿されてなることを特徴としている。
【００１１】
また、請求項６記載の発明は、請求項２記載の卓上空気清浄機に係り、上記送風機と左右一対の周辺開口部との間に、かつ、上記羽根車の外周側に、当該羽根車と軸心を共通にする態様で、環状の脱臭フィルタが介挿されてなることを特徴としている。
【００１２】
また、請求項７記載の発明は、請求項１記載の卓上空気清浄機に係り、上記送風機から圧送された空気が、上記左右一対の周辺開口部から、当該左右間で互いに離反する態様で装置斜め前方に吐き出される構成とされていることを特徴としている。
【００１３】
また、請求項８記載の発明は、請求項７記載の卓上空気清浄機に係り、上記左右一対の周辺開口部が、上記装置正面と装置側面とのコーナ部に設けられていることを特徴としている。
【００１４】
また、請求項９記載の発明は、請求項７又は８記載の卓上空気清浄機に係り、上記各周辺開口部が、装置正面の周縁に沿って、概略縦長に形成されてなることを特徴としている。
【００１５】
また、請求項１０記載の発明は、請求項１、７、８又は９記載の卓上空気清浄機に係り、上記左右一対の周辺開口部は、互いに、水平方向に、２５ｃｍ以上４０ｃｍ以内に隔てられて配設されていることを特徴としている。
【００１６】
また、請求項１１記載の発明は、請求項１、７、８又は９記載の卓上空気清浄機に係り、上記各周辺開口部には、吐き出される空気に方向性を与えるための複数の隔壁板又は羽根板が設けられていることを特徴としている。
【００１７】
また、請求項１２記載の発明は、請求項１１記載の卓上空気清浄機に係り、上記隔壁板又は羽根板が、吐き出される空気の方向を変えるために、回動可能に取り付けられていることを特徴としている。
【００１８】
また、請求項１３記載の発明は、請求項１２記載の卓上空気清浄機に係り、上記隔壁板又は羽根板の回動を電気的に制御するための風向制御回路が設けられていることを特徴としている。
【００１９】
また、請求項１４記載の発明は、請求項１記載の卓上空気清浄機に係り、空気中の浮遊微粒子をコロナ帯電させて静電捕集する電気的制御の集塵手段が付加されてなることを特徴としている。
【００２０】
【発明の実施の形態】
以下、図面を参照して、この発明の実施の形態について説明する。説明は、実施例を用いて具体的に行う。
◇第１実施例
図１は、この発明の第１実施例である一人用の卓上空気清浄機の外観構成を概略示す斜視図、図２は同正面図、図３は同上面図、図４は同側面図、図５は、同卓上空気清浄機の構成を分解して示す分解斜視図、図６は同卓上空気清浄機の内部構造を示す概略断面図、また、図７は、同卓上空気清浄機の動作を説明するための説明図である。
【００２１】
まず、同卓上空気清浄機の全体構成から説明する。
この例の卓上空気清浄機４は、図１乃至図６に示すように、装置正面に設けられて、タバコの煙を含む空気を吸い込むための正面開口部５と、この正面開口部５から吸い込まれた空気を遠心方向に圧送する送風機６と、上記装置正面の左右の周縁部に設けられて、上記送風機６から圧送された空気を装置前方に吐き出すための左右一対の周辺開口部７，７と、上記正面開口部５と上記送風機６との間に介挿されて、タバコの煙を除去する集塵フィルタ８と、送風機６と左右一対の周辺開口部７，７との間に介挿されて、タバコの臭いを除去する脱臭フィルタ９と、電源のオン／オフを操作したり、風量を調整するための操作パネル部１０とを備えて構成されている。
【００２２】
次に、装置各部について説明する。
上記正面開口部５は、概略円形の装置正面パネル５ａ内にストライプ状でかつ全体として円形状に形成されている。また、上記送風機６は、複数の羽根６ａ，６ａ，…が環状に並べられた羽根車６ｂと、この羽根車６ｂを駆動するモータ６ｃとを有してなるターボ送風機であって、羽根車６ｂ及びモータ６ｃの軸心が正面開口部５の中心軸線と概略一致する態様で、概略円形の装置箱体６０に取り付けられている。
【００２３】
また、装置正面と装置側面とのコーナ部に相当する環状の部位には、正面周辺部カバー７ａが設けられていて、この正面周辺部カバー７ａの左右の部位には、上記した周辺開口部７，７が、それぞれ概略縦長に形成されて、左右にエアカーテンを形成する構成となっている。加えて、この例においては、左右一対の周辺開口部７，７は、送風機６から圧送されてきた空気を、当該左右間で互いに離反する態様で装置斜め前方側に吐き出す構成となっている。
さらに、各周辺開口部７には、吐き出される空気の流れの方向性を規制するための複数の羽根板（隔壁板）７ｂ，７ｂ，…が、互いに所定の距離隔てた横格子模様に並べられて取り付けられている。ここで、左右の周辺開口部７，７は、互いに、水平方向に、２５ｃｍ以上４０ｃｍ以内に隔てられて配設されている。これは、大人の体の横幅を考慮したことによる。
【００２４】
また、上記集塵フィルタ８は、タバコの煙を捕捉分離できる多孔性又は繊維性の素材を、ひだ状に折り畳んでパネル化したもので、集塵フィルタホルダ８ｈで保持されて装着されている。集塵フィルタ８は、集塵寿命がくれば、取替可能となっている。次に、上記脱臭フィルタ９は、この例では、微粉末の活性炭と粒状の活性炭との２段構成からなる環状体で、羽根車６ｂの外周側に、かつ、羽根車６ｂと軸心を共通にする態様で、脱臭フィルタホルダ９ｈで保持される構成となっている。この脱臭フィルタホルダ９ｈは、正面周辺部カバー７ａと一体成形され、その正面には、集塵フィルタホルダ８ｈを位置決め保持するための図示せぬ凹部が複数個設けられている。これら一体化された脱臭フィルタホルダ９ｈ及び正面周辺部カバー７ａは、装置裏面側の概観を受け持つ装置箱体６０に着脱可能に装着される構成となっている。なお、脱臭フィルタ９も、脱臭寿命がくれば、取替可能となっている。
【００２５】
次に、図７を参照して、上記構成の卓上空気清浄機４の動作について説明する。喫煙時、卓上空気清浄機４のスイッチがオンとされると、送風機６が運転を開始する。送風機の運転状態において、喫煙者が、（喫煙者の３０−６０ｃｍ前方に置かれた）卓上空気清浄機４の正面めがけてタバコの煙を吐き出すと、正面開口部５から、タバコの煙を含む空気ＤＡが吸い込まれる。吸い込まれた空気ＤＡは、次に、集塵フィルタ８を通過するが、このとき、タバコの煙は集塵フィルタ８によって捕捉され除去される。それゆえ、集塵フィルタ８を越えて、羽根車６ｂの内周部に到達した空気は、タバコの煙が取り除かれた、ひとまずきれいな空気ＭＡである。しかし、タバコの臭い分子は、完全には取り切れずに、いまだ残っている。
【００２６】
次に、この空気ＭＡは、羽根車６ｂの各羽根６ａに押されて旋回し、発生した遠心力によって、羽根６ａと羽根６ａとの隙間から、羽根車６ｂの外周方向に圧送される。羽根車６ｂの外周側には、羽根車６ｂを同心円状に取り囲む脱臭フィルタ９がある。このため、外周方向に圧送される空気ＭＡは、脱臭フィルタ９を通過するが、この通過の際、旋回流を与えられた残存の臭い分子は、脱臭フィルタ９によって吸着除去される。脱臭フィルタ９によって、さらに清浄化された空気ＣＡは、同図に示すように、左右の周辺開口部７，７から、装置前方方向（この例では、左右間で互いに離反する態様で装置斜め前方方向Ｓ，Ｓ）に吐き出される。
ここで、喫煙者と卓上空気清浄機４との隔たりが、３０−６０ｃｍに設定され、また、左右の周辺開口部７，７間の隔たりが、２５−４０ｃｍに設定されているので、周辺開口部７，７から装置斜め前方Ｓ，Ｓに吐き出される空気ＣＡは、人の両肩あるいは両腕（上腕）に当たるかも知れないし、人の両肩あるいは両腕（上腕）のすぐ外側を通り抜けるかもしれない。
【００２７】
上記構成によれば、卓上空気清浄機４に吸引される空気流ＤＡの左右両側に、卓上空気清浄機４から吐き出される空気流ＣＡが発生する。ここで、吸引空気流ＤＡは、流れの中央部では速いが、周辺部に行くほど、すなわち、流れの向きを逆にする吐き出し空気流ＣＡに近づくほど、減速状態となる。流体力学の法則によれば、周辺部（低速領域）を流れる煙粒子は、中央部（高速領域）の流れに向かうので、タバコの煙は、吐き出し空気流ＣＡの流れの中に入ることは容易ではない。このような現象のため、吐き出し空気流ＣＡは、タバコの煙にとって、エアカーテンとなって、その行く手を遮るばかりか、中央へ押し戻す働きをする。タバコの煙は、それゆえ、周囲にむやみと拡散せずに、正面開口部５を通して卓上空気清浄機４に引き込まれて行くこととなる。かくして、簡易な構成で、人にやさしく、吸煙効率の向上を達成できる。
【００２８】
◇第２実施例
図８は、この発明の第２実施例である一人用の卓上空気清浄機の外観構成を概略示す斜視図である。
この第２実施例の構成が、上述の第１実施例のそれと大きく異なるところは、第１実施例では、吐き出される空気の風向きを規制するために、周辺開口部７の中に、複数の羽根板（隔壁板）７ｂ，７ｂ，…を、横格子模様に配列するようにしたが、この実施例では、同図に示すように、周辺開口部７１の中に、複数の羽根板（隔壁板）７１ｂ，７１ｂ，…を、縦格子模様に配列した点だけである。
この例の構成によっても、上述の第１実施例で述べたと略同様の効果を得ることができる。
【００２９】
◇第３実施例
図９は、この発明の第３実施例である一人用の卓上空気清浄機の構成を概略示す斜視図である。
上述の第２実施例の羽根板（隔壁板）７１ｂ，７２１，…は、固定板であったが、この第３実施例では、同図に示すように、周辺開口部７２の中に、複数の羽根板（隔壁板）７２ｂ，７２ｂ，…を回動可能に取着すると共に、羽根板（隔壁板）７２ｂ，７２ｂ，…の回動を電気的に制御する風向制御回路７３を設けるようにした。
このように、この例の構成によれば、吐き出される空気ＣＡの方向を好みに応じて変えることができるので、一段と快適感を得ることができる。
【００３０】
以上、この発明の実施例を図面により詳述してきたが、具体的な構成はこの実施例に限られるものではなく、この発明の要旨を逸脱しない範囲の設計の変更等があってもこの発明に含まれる。
例えば、上述の実施例では、集塵フィルタと脱臭フィルタとをセットで搭載する場合について述べたが、必要に応じて、集塵フィルタのみを搭載するようにしても良く、あるいは、脱臭フィルタのみを搭載するようにしても良い。また、上述の実施例では、集塵フィルタを正面開口部と送風機との間に搭載したが、送風機と周辺開口部との間に装着するようにしても良い。同様に、脱臭フィルタを正面開口部と送風機との間に装着しても良い。
【００３１】
また、上述の操作パネル部には、必要に応じて、人を検知して装置の運転を開始させる人体センサーや、煙を検知して装置の運転を開始させる煙センサーを設けても良い。また、上述の実施例では、周辺開口部を、装置正面と装置側面とのコーナ部に設けたが、装置正面の周辺部のみに設けても良い。また、集塵効率を確実とするために、空気中の浮遊微粒子をコロナ帯電させて静電捕集する電気的制御の集塵手段を装着するようにしても良い。
【００３２】
【発明の効果】
以上説明したように、この発明の構成によれば、吸引されるタバコの煙の両側に、吐き出し空気流のエアカーテンができるので、タバコの煙は周囲にむやみと拡散せずに、装置に引き込まれて行く。それゆえ、簡易な構成で、人にやさしく、吸煙効率の向上を達成できる。
【図面の簡単な説明】
【図１】この発明の第１実施例である卓上空気清浄機の外観構成を概略示す斜視図である。
【図２】同卓上空気清浄機の外観構成を示す正面図である。
【図３】同卓上空気清浄機の外観構成を示す上面図である。
【図４】同卓上空気清浄機の外観構成を示す側面図である。
【図５】同卓上空気清浄機の構成を分解して示す分解斜視図である。
【図６】同卓上空気清浄機の内部構造を示す概略断面図である。
【図７】同卓上空気清浄機の動作を説明するための説明図である。
【図８】この発明の第２実施例である一人用の卓上空気清浄機の外観構成を概略示す斜視図である。
【図９】この発明の第３実施例である一人用の卓上空気清浄機の構成を概略示す斜視図である。
【図１０】従来の空気清浄機の構成を概略示す側面図である。
【図１１】従来の別の空気清浄機の構成を概略示す斜視図である。
【符号の説明】
４　　　卓上空気清浄機
５　　　正面開口部
６　　　送風機
６ａ，６ａ，…　　　羽根
６ｂ　　　羽根車
７，７１，７２　　　周辺開口部
７ｂ，７１ｂ，７２ｂ　　　羽根板（隔壁板）
８　　　集塵フィルタ
８ｈ　　　集塵フィルタホルダ
９　　　脱臭フィルタ
９ｈ　　　脱臭フィルタホルダ
ＤＡ　　　タバコの煙を含む空気
ＣＡ　　　清浄空気
【図１】
2004069205.tif 000003
【図２】
2004069205.tif 000004
【図３】
2004069205.tif 000005
【図４】
2004069205.tif 000006
【図５】
2004069205.tif 000007
【図６】
2004069205.tif 000008
【図７】
2004069205.tif 000009
【図８】
2004069205.tif 000010
【図９】
2004069205.tif 000011
【図１０】
2004069205.tif 000012
【図１１】
2004069205.tif 000013